(57)【特許請求の範囲】
【請求項１】
筆立てと、
前記筆立ての内部に固定されるスライドロッドと、
前記スライドロッドを取り囲むように、前記スライドロッドに対してスライド可能に装着されて、前記スライドロッドと一緒に前記筆立ての内部に収納され、且つ一端に筆先が形成された中空の筆芯と、
前記筆芯の一端に被せるキャップと、
前記キャップに設置されるストラップと、
を備え、前記筆芯を前記筆立てから引き出すことができることを特徴とする入力ペン。
【請求項２】
前記スライドロッドは、ロッド部及び前記ロッド部に開設されるスライド部を含み、前記筆芯は、該筆芯を貫通して開設される２つの固定穴及び１つの位置決めピンを含み、前記位置決めピンの両端が前記２つの固定穴に係止されており、前記位置決めピンが前記筆芯に連動されて前記スライド部内でスライドできることを特徴とする請求項１に記載の入力ペン。
【請求項３】
前記スライド部は、スライドレール部、２つのストッパ溝及び２つの収容部を含み、前記スライドレール部の両端はそれぞれ順次、前記ストッパ溝と前記収容部に連接し、前記位置決めピンは、前記スライドレール部の一端の収容部内に係止され且つ前記筆芯に連動されて該収容部から該収容部に隣接するストッパ溝、前記スライドレール部及び前記スライドレール部の他端のストッパ溝を通過して前記スライドレール部の他端の収容部内に滑り込んで係止することにより、前記筆芯を前記筆立て内に固定するかまたは前記筆立てから引き出すことができ、前記ストッパ溝のサイズが前記収容部のサイズより小さいことを特徴とする請求項２に記載の入力ペン。
【請求項４】
前記筆芯は、
本体部と、
前記本体部の内部に開設され且つ前記ロッド部を収納できる収容空間と、
前記筆先の前記本体部に近接する片側に形成された係合溝と、
をさらに備えることを特徴とする請求項２に記載の入力ペン。
【請求項５】
前記キャップは、前記キャップの内壁に対称的に凸設される２つの突起部を有し、前記２つの突起部をそれぞれ前記係合溝内に係止することにより、前記キャップを前記筆先上に固定することを特徴とする請求項４に記載の入力ペン。
【請求項６】
前記筆立ては、前記スライドロッド及び前記筆芯を収納する収容空洞部と、前記筆立てを貫通して対称的に開設された２つの貫通孔と、１つの固定ピンと、を備え、前記ロッド部は前記２つの貫通孔に対応して設置された取付用孔を有するから、前記固定ピンを前記２つの貫通孔と前記取付用孔内に係止することにより前記スライドロッドを前記収容空洞部内に装着できることを特徴とする請求項２に記載の入力ペン。
【発明の詳細な説明】
【技術分野】
【０００１】
本発明は、電子装置用入力ペンに関するものである。
【背景技術】
【０００２】
移動通信技術の発展に伴って、タッチパネルを有する携帯式電子装置が出現した。現在、市販されているタッチパネルを有する携帯式電子装置は、一般的に入力ペンを入力手段として用いている。便利に携帯したり紛失しないために、前記入力ペンを携帯電子装置の内部に内蔵している。使用する場合は、入力ペンを携帯電子装置の中から引き出す。しかし、携帯電子装置の内部にはエレメントが多く、且つ内部空間が有限であるため、内蔵される入力ペン自身の寸法も制限されてしまい、ユーザーに使用不便をもたらす。
【発明の概要】
【発明が解決しようとする課題】
【０００３】
以上の問題点に鑑みて、本発明の目的は、電子装置の内部空間を消費することなく、便利に使うことができ、外部に取り付けられる入力ペンを提供することである。
【課題を解決するための手段】
【０００４】
前記問題を解決するために、本発明に係る入力ペンは、筆立てと、前記筆立ての内部に固定されるスライドロッドと、前記スライドロッドを取り囲むように、前記スライドロッドに対してスライド可能に装着されて、前記スライドロッドと一緒に前記筆立ての内部に収納され、且つ一端に筆先が形成された中空の筆芯と、前記筆芯の一端に被せるキャップと、前記キャップに設置されるストラップと、を備え、前記筆芯を前記筆立てから引き出すことができる。
【発明の効果】
【０００５】
本発明によれば、入力ペンのキャップにストラップを設置することにより、前記入力ペンが電子装置の外部に据え置かれる。よって、本発明の入力ペンは、電子装置の内部空間を消費せず、寸法も調節できる。
また、本発明の入力ペンにおいて、そのスライドロッドが筆立て内に固定され、且つその筆芯がスライド可能に前記スライドロッドに設置されるから、使用時に、前記筆芯を前記筆立てから引き出し、非使用時に、前記筆芯を前記筆立て内に収納できるから、ユーザーにとって、使用便利である。
【図面の簡単な説明】
【０００６】
【図１】本発明に係る入力ペンの分解図である。
【図２】図１に示す入力ペンのスライドロッドの拡大図である。
【図３】本発明に係る入力ペンの組立図である。
【図４】図３に示す入力ペンの断面図である。
【図５】図３に示す入力ペンにおいて、筆芯を筆立てから露出させた状態を示す図である  。
【図６】図５に示す入力ペンの断面図である。
【図７】図３に示す入力ペンの使用状態を示す図である。
【発明を実施するための形態】
【０００７】
以下、図面に基づいて、本発明の実施形態に係る入力ペンについて詳細に説明する。
【０００８】
本発明に係る入力ペンは移動電話等の携帯電子装置の情報入力手段として用いられ、本実施形態においては、移動電話を例として説明する。
【０００９】
図１に示したように、本発明の入力ペン１００は、筆立て１０と、前記筆立て１０内に収納できるスライドロッド２０及び筆芯３０と、前記筆芯３０の一端に被せるキャップ４０と、を備える。前記筆立て１０は、中空柱であって、前記筆立て１０の内部を貫通して開設され且つ平行する２つの側壁１１１を含む収容空洞部１１と、前記２つの側壁１１１をそれぞれ貫通して対称的に形成された２つの貫通孔１３と、ステンレスピンである固定ピン１５と、を備える。前記固定ピン１５はサイズが前記貫通孔１３にマッチングするから、前記２つの貫通孔１３内に係止できる。前記固定ピン１５を前記２つの貫通孔１３内に係止すると、前記固定ピン１５の２つの外端面はそれぞれ前記２つの側壁１１１の外表面と同一平面になる。
【００１０】
図２を共に参照すると、前記スライドロッド２０は、棒状体であって、その長さが前記筆立て１０の長さに一致するから、前記筆立て１０内に収納できる。前記スライドロッド２０は、基部２１及びロッド部２３を含む。前記基部２１は、略矩形を呈し、前記収容空洞部１１と同様なサイズを有するから、前記収容空洞部１１内に収納できる。前記ロッド部２３は、前記基部２１の一表面から前記基部２１と直交するように突出し、取付面２３１、取付用孔２３３及びスライド部２３７を備える。前記取付用孔２３３は、前記取付面２３１の前記基部２１と近接する所に前記ロッド部２３を貫通して形成される。前記取付用孔２３３のサイズは、前記貫通孔１３のサイズに該当するため、前記固定ピン１５を前記取付用孔２３３内に保持することができ、従って前記スライドロッド２０を前記筆立て１０に固定することができる。
【００１１】
前記スライド部２３７は、前記取付面２３１から前記ロッド部２３を貫通して形成され、スライドレール部２３７１、相対する２つのストッパ溝２３７３及び相対する２つの収容部２３７５を含む。前記スライドレール部２３７１の両端はそれぞれ順次に前記ストッパ溝２３７３及び前記収容部２３７５に連接している。即ち、各々のストッパ溝２３７３は前記収容部２３７５と前記スライドレール部２３７１との間に位置する。前記スライドレール部２３７１の両端の前記２つのストッパ溝２３７３との接続部位にそれぞれ傾斜角が形成されている。前記２つのストッパ溝２３７３のサイズが前記スライドレール部２３７１の末端のサイズに該当する。前記２つの収容部２３７５は、柱状であって、それぞれ前記２つのストッパ溝２３７３の一端に接続し、そのサイズが前記ストッパ溝２３７３のサイズよりやや大きい。
【００１２】
図１に示したように、前記筆芯３０は、中空の略柱状体であって、本体部３１と、筆先３３と、位置決めピン３１５と、を含む。前記本体部３１の形状とサイズが前記収容空洞部１１にマッチングするから、前記本体部３１を前記収容空洞部１１内に収納できる。前記本体部３１は、前記ロッド部２３を収納する収容空間３１１と、前記収容空間３１１の対向する２つの側壁を貫通して形成され且つ前記位置決めピン３１５を保持することに用いられる２つの固定穴３１３と、を含む。前記位置決めピン３１５は、棒状であって、そのサイズが前記固定穴３１３及び前記収容部２３７５にマッチングするから、前記固定穴３１３を貫いて前記収容部２３７５に係止でき、従って前記スライドロッド２０を前記筆芯３０にスライド可能に装着できる。前記筆先３３は錐体状であって、前記本体部３１の前記固定穴３１３から離れた一端から突出して形成される。前記筆先３３の前記本体部３１に近接する片側には、断面が楔形である係合溝３３１が前記筆先３３の外周を取り囲んで凹んで形成される。
【００１３】
図１及び図４に示したように、前記キャップ４０は、中空の柱状体であって、その一端には、前記入力ペン１００を移動電話（図示せず）につるすためのストラップ４１が設置されている。前記キャップ４０の他端の内壁には、断面が楔形である２つの突起部４３が対称的に凸設されている。前記突起部４３は、前記係合溝３３１に係止できる。前記突起部４３は、ストッパ面４３１及び当接面４３３を含む。前記ストッパ面４３１は前記キャップ１０の内壁に略直交するように設置されており、前記当接面４３３は前記キャップ１０の内壁と傾斜角を形成するように設置される。
【００１４】
図１、図３及び図４に示したように、前記入力ペン１００を組み立てる場合、まず、前記ロッド部２３を前記本体部３１の収容空間３１１内に収納すると、前記筆先３３は前記基部２１から離れている。続いて、前記本体部３１上の２つの固定穴３１３と前記ロッド部２３の一方の収容部２３７５との位置合せをしてから、前記位置決めピン３１５を前記固定穴３１３及び前記収容部２３７５内に係止すると、前記筆芯３０はスライド可能に前記スライドロッド２０上に設置される。次に、前記スライドロッド２０を装着した筆芯３０を前記筆立て１０の収容空洞部１１内に入れて、前記基部２１を前記筆立て１０の前記貫通孔１３に近接する一端に位置させて、前記ロッド部２３の取付用孔２３３と前記貫通孔１３との位置合せをしてから、前記固定ピン１５を前記取付用孔２３３と前記貫通孔１３内に係止して、前記スライドロッド２０及び前記筆芯３０を一体に前記筆立て１０に装着する。最後に、前記キャップ４０を前記筆先３３上にかぶせて、前記２つの突起部４３を前記係合溝３３１内に係止させるとともに、前記ストッパ面４３１と前記当接面４３３とをそれぞれ前記係合溝３３１の相対する２つの側壁に当接させる。これで、前記入力ペン１００の組立を終了する。
【００１５】
図４〜図７を一緒に参照すると、前記入力ペン１００を使用する場合、前記キャップ４０を前記筆立て１０から離れる方向へ引っ張って、前記筆先３３と前記本体部３１とを前記スライドロッド２０及び前記筆立て１０に相対して移動させる。この過程において、前記本体部３１は前記位置決めピン３１５を連動して、前記ストッパ溝２３７３の当接作用力を乗り越えて、該ストッパ溝２３７３から前記スライドレール部２３７１へ滑り込んで、さらにもう１つのストッパ溝２３７３の当接作用力を乗り越えて、前記ロッド部２３の基部２１から離れる他端の収容部２３７５内に滑り込んで保持されると、前記筆芯３０の本体部３１は前記筆立て１０から露出する。また、前記キャップ４０を続いて引っ張って、前記キャップ４０の突起部４３を前記筆芯３０の係合溝３３１から抜け出させるとともに、前記筆先３３が前記突起部４３の当接面４３３の当接力から逸脱して、前記キャップ４０を前記筆先３３から取り外した。従って、前記入力ペン１００を使用することができる。
【００１６】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００１７】
１０      筆立て
１１      収容空洞部
１３      貫通孔
１５      固定ピン
２０      スライドロッド
２１      基部
２３      ロッド部
３０      筆芯
３１      本体部
３３      筆先
４０      キャップ
４１      ストラップ
４３      突起部
１００    入力ペン
１１１    側壁
２３１    取付面
２３３    取付用孔
２３７    スライド部  
３１１    収容空間
３１３    固定穴
３１５    位置決めピン
３３１    係合溝
４３１    ストッパ面
４３３    当接面
２３７１  スライドレール部  
２３７３  ストッパ溝
２３７５  収容部
【図１】
0005503978.tif 000002
【図２】
0005503978.tif 000003
【図３】
0005503978.tif 000004
【図４】
0005503978.tif 000005
【図５】
0005503978.tif 000006
【図６】
0005503978.tif 000007
【図７】
0005503978.tif 000008